(57)【特許請求の範囲】
【請求項１】
屋根材と屋根材支持枠とを備え、屋根材は、屋根材支持枠に着脱自在であり、屋根材支持枠は、躯体または躯体に取付けたパネル体の上部に取付けるものであり、下面躯体側に下向きに開口する凹部を有すると共に、躯体側端部に位置する立ち上がり壁を有し、屋根材支持枠の凹部の天壁を躯体に取り付けたパネル体の上部に載置して凹部にパネル体の上部を呑み込ませるものと、屋根材支持枠を躯体に取り付けたパネル体の上部と離隔して立ち上がり壁を躯体に取り付けるものとを選択自在にしたことを特徴とする庇。
【発明の詳細な説明】
【技術分野】
【０００１】
本発明は、看板に設置される庇に関するものである。
【背景技術】
【０００２】
看板の情報表示面を照らす照明装置として、躯体に固定されたパネル体の上方に設置される庇があり、この庇は、内部にＬＥＤや蛍光管などの照明装置や、その照明装置の電源部を内蔵するものであった。
【先行技術文献】
【特許文献】
【０００３】
実用新案登録第３１６２３０４号公報
【発明の概要】
【発明が解決しようとする課題】
【０００４】
看板に照明を取り付けるときに、パネル体を固定してある躯体の屋外側上部に庇を据え付けるものであったが、庇とパネル体を別々に固定することから、取り付けた後の庇と看板を固定する位置調整を要するために施工性が悪い。また、庇をパネル体の上に載せて固定することにより一体型とした場合には、パネル体から庇が屋外側に突き出して固定されることから重心が屋外側に寄るため、上記のように単に載せて固定しただけでは支持が弱く、庇がパネル体から外れて落下する危険性があった。また、パネル体の上側に庇を取り付ける場所がないときには、照明装置を支持するためのブラケットを看板の上部に直接固定する等、一つの庇では対応できず、さらに、統一感が失われて看板の外観意匠を損ねる不都合があった。本発明は、上記課題を鑑みてなされたものであり、単体または看板と一体型のいずれにも使用できて意匠性も高い庇を提供することにある。
【課題を解決するための手段】
【０００５】
本発明は、屋根材と屋根材支持枠とを備え、屋根材は、屋根材支持枠に着脱自在であり、屋根材支持枠は、躯体または躯体に取付けたパネル体の上部に取付けるものであり、下面躯体側に下向きに開口する凹部を有すると共に、躯体側端部に位置する立ち上がり壁を有し、屋根材支持枠の凹部の天壁を躯体に取り付けたパネル体の上部に載置して凹部にパネル体の上部を呑み込ませるものと、屋根材支持枠を躯体に取り付けたパネル体の上部と離隔して立ち上がり壁を躯体に取り付けるものとを選択自在にしたことを特徴とする。
【発明の効果】
【０００６】
本発明によれば、屋根材支持枠の凹部の天壁をパネル体の上部に載置して凹部に呑み込み自在にしてあることにより、庇をパネル体に強固に固定でき、庇とパネル体が一体型をなす看板を容易に形成できる。また、上述した屋根材支持枠の凹部をパネル体の上部に呑み込ませる他、屋根材支持枠をパネルの上部と離隔して躯体に取り付けることや、さらには、庇のみを躯体に取り付けることを適宜選択できる。これにより、設置のレイアウトの自由度が高い庇を提供できる。さらに、屋根材支持枠から屋根材を着脱できることにより、看板のメンテナンス、躯体やパネル体への取付作業が容易になる。
【図面の簡単な説明】
【０００７】
【図１】本実施による庇であり、（ａ）は、図６のＧ−Ｇ線断面図、（ｂ）は、（ａ）中Ａを拡大して示す縦断面図である。
【図２】本実施による庇をパネル体に取り付けたものであり、（ａ）は、図６のＨ−Ｈ線断面図、（ｂ）は、（ａ）中Ｂを拡大して示す縦断面図である。
【図３】本実施による庇をパネル体に取り付けたものであり、（ａ）は、正面図、（ｂ）は、Ｃ−Ｃ線断面図であり、（ｃ）は、（ｂ）中Ｄを拡大して示す横断面図であり、（ｄ）は、（ｂ）中Ｅを拡大して示す横断面図である。
【図４】本実施による庇をパネル体に取り付けたものであり、（ａ）は、背面図、（ｂ）は、（ｂ）中Ｆを拡大して示す斜視図である。
【図５】（ａ）〜（ｃ）は、本実施による看板の施工手順を示すものであり、（ａ）（ｂ）は簡略化した縦断面図、（ｃ）は、斜視図である。
【図６】本実施による看板の全体を示すものであり（ａ）は、躯体に庇を取り付けた斜視図であり、（ｂ）は、パネル体に庇を取り付けた看板を躯体に取り付けた斜視図である。
【図７】本発明の庇の他の実施形態を示すものであり、（ａ）は、庇のみを躯体に取り付けた状態を示す縦断面図であり、（ｂ）は、庇とパネル体を一体にして躯体に取り付けた状態を示す縦断面図であり、（ｃ）は、庇とパネル体を離して躯体に取り付けた状態を示す縦断面図である。
【図８】本発明の他の実施形態を示すものであり、（ａ）は、正面図であり、（ｂ）は、（ａ）中Ｉを示す拡大正面図であり、（ｃ）は、（ａ）中のＪ−Ｊ線縦断面図である。
【発明を実施するための形態】
【０００８】
以下に、図面に基づいて本実施による庇の実施の形態を説明する。
本実施による庇は、図１（ａ）と図６（ａ）のように、屋根材１と屋根材支持枠２と塞ぎ材３からなり、屋根材１は、屋外側に向かうに従って下方に傾斜する半円弧状をなすものであり、屋外側先端部には、ＬＥＤ照明枠４を片持ちして支持する挟持部５が設けてあり、また、屋内側端部には、屋根材１を屋根材支持枠２にネジ止め固定するネジ止め部２６が設けてある。屋根材支持枠２は、図１（ｂ）もあわせて参照すれば、屋外側にＬＥＤ照明枠４と電源部６を支持する略水平な水平壁２ａと、水平壁２ａの屋外側端部から上方に略垂直に延びる垂直壁２ｂと、垂直壁２ｂの上端部から躯体側に向けて略水平に延びる天壁２ｃと、天壁２ｃの躯体側端部から上方に略垂直に延びる立ち上がり壁２ｄとからなり、下面躯体側に凹部１２に形成するものである。また、垂直壁２ｂの中間部やや上側には躯体側に向けて突出した係止部２４を有しており、さらに、立ち上がり壁２ｄの上端部には、屋外側に開放したネジ穴部２７を有しており、ネジ穴部２７は、屋根材１のネジ止め部２６と嵌合し、その嵌合した箇所にネジ２８でネジ止めすることにより、屋根材１と屋根材支持枠２が固定される。さらに、立ち上がり壁２ｄを躯体７に打ち込まれたアンカー８のネジ部に挿通し、そのネジ部をナット３４で締めして固定することにより、庇を躯体７に取り付けできる。また、塞ぎ材３は、図１（ｂ）のように、断面略矩形状をなし、屋外側と躯体側と外周側の三方に溝１０を有するとともに、内周側には屋外側と躯体側に向けてそれぞれ突出する被係止部１１ａを有し且つ外周側が略フラットに形成された塞ぎ壁１１が設けてある。さらに、塞ぎ材３は、屋根材支持枠２の凹部１２に配置するものであって、屋根材支持枠２の天壁２ｃにネジ２３で固定することにより、屋根材支持枠２の水平壁２ａと塞ぎ材３の塞ぎ壁１１によって庇の内周側が略面一となるとともに、塞ぎ材３の被係止部１１ａが立ち上がり壁２ｄと略面一になる。また、屋根材１と屋根材支持枠２は、ネジ２８を外すことにより、屋根材支持枠２から屋根材１を簡単に取り外すことができ、また、前述した取り外しの手順とは逆の手順を辿れば屋根材１を屋根材支持枠２に取り付けできる。
【０００９】
上記の庇は、図２（ａ）のように、屋根材支持枠２の凹部１２の天壁２ｂをパネル体１３の上枠１４上面に載置してネジ２３で固定することにより、図６（ｂ）のように、パネル体１３と一体型をなす看板とすることができる。パネル体１３は、図３（ａ）〜（ｄ）のように、四周を囲むパネル枠（上枠１４、下枠１５、縦枠１６）と、表示パネル１７と、押縁１８，２０とからなっており、パネル枠（上枠１４、下枠１５、縦枠１６）すべては、上記した塞ぎ材３と略同一断面のものを使用している。表示パネル１７は、パネル枠（上枠１４、下枠１５、縦枠１６）に対応した略矩形状をなし、その屋外側面に広告や案内などの文字や図柄などの情報が印刷してある。押縁１８，２０は、図２（ａ）と図３（ｄ）のように、表示パネル１７をパネル枠（上枠１４、下枠１５、縦枠１６）に保持するものであり、略Ｌ字状をなし、Ｌ字の一片１８ａ，２０ａをパネル枠（上枠１４、下枠１５、縦枠１６）にネジ２５，３２で固定するとともに、他片１８ｂ，２０ｂで表示パネル１７を押さえるものである。また、パネル体１３の上枠１４と下枠１５と縦枠１６の枠組みについては、図４（ａ）（ｂ）のように、各々が付き合わさるコーナー部の躯体側に金属板からなるアングル１９，３０を用いて固定される。このアングル１９，３０には、ネジ孔２１が設けてあり、アングル１９，３０を上枠１４と縦枠１６、及び下枠１５と縦枠１６に跨る状態で各々配置するとともに、上枠１４と下枠１５と縦枠１６の各溝１０と対応するネジ孔２１にネジ２２を挿入してネジ止めすることにより、パネル枠（上枠１４、下枠１５、縦枠１６）を枠組みするものである。さらに、パネル体１３と躯体７の取り付けは、躯体７に打ち込んであるアンカー８のネジ部を縦枠１６に固定したＬ字アングル３３に挿通し、そのネジ部をナット３４で締めて固定するものである（図２（ａ）参照）。
【００１０】
上記のように構成する看板の施工手順は、第一の手順として図５（ａ）のように、躯体７に打ち込んだアンカー８に、庇の屋根材支持枠２のみを取り付けたパネル体１３を固定する。第二の手順として図５（ｂ）のように、屋根材１を屋根材支持枠２に載置し、そのときに嵌合するネジ止め部２６とネジ穴部２７をネジ２８でネジ止めする。図５（ｃ）のように、庇と上枠１４、また、下枠１５と押縁１８の間の間隙に、表示パネル１７を差し入れてスライドし、各々で表示パネル１７を位置決めして庇の両側をカバー２９で塞ぐとともに、パネル体１３の両側（縦枠１６外周部）を押縁２０で塞ぐことにより、本実施による看板の躯体７への取り付けが完了する。上記の施工手順を経て形成された本実施による看板は、パネル体１３の上枠１４に庇が載置し、さらに、天壁２ｃと上枠１４がネジ２３でネジ止めして固定してあるとともに、庇の垂直壁２ｂの外周側がパネル体１３の屋外側面に重合する。これにより、パネル体１３が庇の垂直荷重を受けるとともに、庇の荷重で垂れ下がろうとする庇の屋外側部分をパネル体１３の上枠１４が受けるので、庇をパネル体１３に安定してしっかりと取り付けできる。さらに、垂直壁２ｂの係止部２４と上枠１４の被係止部１１ａが係止することにより、風圧や他物との接触などで庇がパネル体１３から持ち上がろうとするときに抑えることができるので、庇とパネル体１３の取付状態がより強固となる。また、塞ぎ材３とパネル枠（上枠１４、下枠１５、縦枠１６）は、すべて共通形状をなすものが使用されていることから、部品種が少なくなって省コスト化が図れる。さらに、塞ぎ材３とパネル枠（上枠１４、下枠１５、縦枠１６）に溝１０が設けてあることにより、その溝１０の適宜な箇所にアングル１９，３０やＬ字アングル３３、その他金具を自由に取り付けできることから施工性が高くなる。尚、符号１４ａは、補強材であり、この補強材についてもパネル枠（上枠１４、下枠１５、縦枠１６）と共通形状をなすものが使用されている。また、設計段階で庇と表示パネルの寸法や意匠が対応していることにより、製品のばらつきがなく、庇とパネル体が隙間なく取り付けられるので、庇とパネル体１３の統一感が生まれ、看板の外観意匠性も向上する。また、パネル体１３は、寸法が大きくなってもパネル枠（上枠１４、下枠１５、縦枠１６）に溝１０が設けてあることから、パネル体１３の大きさに対応して上枠１４と下枠１５、縦枠１６間の適宜な箇所に補強材を取り付けることができる。さらに、屋根材支持枠２から屋根材１を着脱できることから、屋根材１を取り外せば、屋根材支持枠２に取り付けられたＬＥＤ照明枠４や電源部６が露出するので、これらの交換が簡単に行えるとともに、屋根材３を取り外した状態で看板を躯体７に取り付けできることから、作業時に屋根材１を傷付けることがないので、取付作業が容易に行える。
【００１１】
本発明の庇は、図７（ａ）のように、塞ぎ材３を屋根材支持枠２の凹部１２に配置しない状態で躯体７に取り付けることができる。また、庇とパネル体１３の躯体７に対する取付状態を下記のように選択することができる。図７（ｂ）のように、庇の凹部１２の天壁２ｃをパネル体１３の上部に載置して凹部１２にパネル体１３の上部を呑み込ませた状態にして躯体７に取り付ける他、図７（ｃ）のように、庇とパネル体１３を離隔した状態で躯体７に各々取り付けることもできる。また、上記の図７（ａ）〜（ｃ）で使用されるコーナー金具１９は、図８（ａ）（ｂ）のように、板状をなすとともに、パネル体１３の躯体側に取り付けてあり、その板状の中央部が躯体７側に彎曲変形して躯体当接部１９ａを形成している。そして、図８（ｃ）のように、パネル体１３を躯体７に取り付けたとき、コーナー金具１９の躯体当接部１９ａが躯体７に当接する。このようにすると、パネル体１３と躯体７との間に生じた隙間が埋められるので、パネル体１３を躯体７に安定した状態で取り付けることができる。尚、符号１６ａは、縦桟である。
【００１２】
また、上記実施形態では、本発明の庇を躯体７として壁面に取り付けるものを挙げたが、支柱や横桟に取り付けるものでもよい。さらに、庇に取り付けるパネル体１３を構成するパネル枠（上枠１４、下枠１５、縦枠１６）や屋根材３の形状、パネル体１３の大きさについても上記実施形態のものに限らず、また、パネル枠（上枠１４、下枠１５、縦枠１６）に溝１０が設けてあることから、上枠１４と下枠１５間、縦枠１６間に補強材を何本でも取り付けることができるので、パネル体１３の大きさを自由に設計することができる。
【符号の説明】
【００１３】
１  屋根材
２  屋根材支持枠
２ｃ  天壁（凹部）
２ｄ  立ち上がり壁（凹部）
７  躯体
１２  凹部
１３  パネル体
【図１】
0005975799.tif 000002
【図２】
0005975799.tif 000003
【図３】
0005975799.tif 000004
【図４】
0005975799.tif 000005
【図５】
0005975799.tif 000006
【図６】
0005975799.tif 000007
【図７】
0005975799.tif 000008
【図８】
0005975799.tif 000009